(57)【要約】      （修正有）【課題】ネットワークの計画、最適化、確認、または動作のために使用するデータを得る。【解決手段】データを得る方法は、呼の切断、位置修正、または、さらにタイマの期限切れのような、トリガリングイベントに応答して行われる。加入者局の位置推定は、イベントに応答して得られる。その後で、加入者局の位置推定と、トリガリングイベントの識別子、および／または、イベントに応答して測定された、あるいは得られたデータ（例えば、加入者局にとって認識できる１つ以上のパイロットの強度）とを関係付けるレコードが形成される。レコードは、局所的に記憶されるか、または遠く離れた場所へ伝送される。１つの実行では、レコードは、遠く離れた場所へ伝送され、他の加入者局に関係する同様のレコードを保持しているデータベースに記憶される。【選択図】図２
2011061805.tif 000002
【特許請求の範囲】
【請求項１】
１つ以上のネットワークアプリケーションに役立つデータを得る方法であって、
トリガリングイベントに応答して、加入者局の位置推定を得るステップと、
加入者局の位置推定を、イベント識別子、およびイベントに応答して測定された、または得られたデータの何れかまたは両者と関係付けるレコードを形成するステップと、    レコードを記憶または伝送するステップとを実行することを含む方法。
【請求項２】
加入者局が、無線通信システム内で動作している請求項１記載の方法。
【請求項３】
イベントが、加入者局によって確認される請求項１記載の方法。
【請求項４】
イベントが、加入者局以外のシステム内のエンティティによって確認される請求項２記載の方法。
【請求項５】
イベントがネットワークイベントである請求項２記載の方法。
【請求項６】
ネットワークイベントが、呼を実際に、またはほぼ切断した状態である請求項２記載の方法。
【請求項７】
ネットワークイベントが、加入者局がシステムまたはシステムエンティティの受信可能領域内に入ることである請求項２記載の方法。
【請求項８】
ネットワークイベントが、加入者局がシステムまたはシステムエンティティの受信可能領域を出ていくことである請求項２記載の方法。
【請求項９】
ネットワークイベントが、加入者局がシステムまたはシステムエンティティの受信可能領域の外にいる間に、タイマが切れることである請求項２記載の方法。
【請求項１０】
ネットワークイベントが、ハンドオフに失敗した状態である請求項２記載の方法。
【請求項１１】
ネットワークイベントが、ハンドオフまたはほぼハンドオフ状態である請求項２記載の方法。
【請求項１２】
ハンドオフ状態が、ハードまたはソフトのハンドオフ状態である請求項１１記載の方法。
【請求項１３】
ほぼハンドオフ状態が、ハードまたはソフトのハンドオフ状態である請求項１１記載の方法。
【請求項１４】
ネットワークイベントが、帯域状態の変化である請求項２記載の方法。
【請求項１５】
ネットワークイベントが、加入者局が２つの無線通信システムまたはシステムエンティティの受信可能領域間を通ることである請求項２記載の方法。
【請求項１６】
ネットワークイベントが、加入者局がドナー基地局および中継器の受信可能領域間を通ることである請求項２記載の方法。
【請求項１７】
ネットワークイベントが、加入者局における、予想外の、または予想外なほど強いパイロットの検出である請求項２記載の方法。
【請求項１８】
ネットワークイベントが、加入者局における、予想外の基地局の検出である請求項２記載の方法。
【請求項１９】
ネットワークイベントが、加入者局における、加入者局の近傍リストにないパイロットの検出である請求項２記載の方法。
【請求項２０】
イベントが、タイマが切れることである請求項１記載の方法。
【請求項２１】
イベントが、ユーザイベントである請求項１記載の方法。
【請求項２２】
イベントが、９１１呼の開始である請求項２１記載の方法。
【請求項２３】
イベントが、ウエブが使用可能な加入者局における位置に依存するサービスの要求である請求項２１記載の方法。
【請求項２４】
レコードが、位置推定を、パイロット強度または位相の１つ以上の測定値と関係付けている請求項１記載の方法。
【請求項２５】
パイロットの少なくとも１つが、加入者局と基地局との間に存在しているトラヒックチャネルと関係付けられている請求項２４記載の方法。
【請求項２６】
トラヒックチャネルが、順方向トラヒックチャネルである請求項２５記載の方法。
【請求項２７】
トラヒックチャネルが、逆方向トラヒックチャネルである請求項２５記載の方法。
【請求項２８】
位置推定が、加入者局によって判断される請求項１記載の方法。
【請求項２９】
位置推定が、加入者局以外のシステム内のエンティティによって判断される請求項２記載の方法。
【請求項３０】
他のエンティティが、位置判断エンティティである請求項２９記載の方法。
【請求項３１】
レコードが、加入者局において局所的に記憶される請求項１記載の方法。
【請求項３２】
レコードが伝送され、システム内の遠く離れた場所に記憶される請求項２記載の方法。
【請求項３３】
レコードが、システムによってサービスされる他の加入者局から得られる同様のレコードを保持しているデータベース内に記憶される請求項３２記載の方法。
【請求項３４】
請求項１記載の方法を具体化する一連のソフトウエア命令を記憶するメモリ。
【請求項３５】
プロセッサおよび請求項３４記載のメモリを含むシステムであって、プロセッサが、メモリ内に記憶されているソフトウエア命令にアクセスし、実行するように構成されているシステム。
【請求項３６】
加入者局によって具体化されるか、またはその中に取入れられる請求項３５記載のシステム。
【請求項３７】
１つ以上のネットワークアプリケーションに役立つデータを得るための無線通信システムであって、
各ネットワークエンティティが、（１）トリガリングイベントに応答して、加入者局の位置推定を得るか、または得続けて、（２）加入者局の位置推定を、トリガリングイベントの識別子、およびトリガリングイベントに応答して、測定された、または得られたデータの何れかまたは両者と関係付けるレコードを形成するか、または形成し続けて、および（３）データベースにレコードを記憶するか、または記憶し続けるように構成された１つ以上のネットワークエンティティを含む無線通信システム。
【請求項３８】
１つ以上のトリガリングイベントが、ハンドオフに失敗した状態を含む請求項３７記載のシステム。
【請求項３９】
データベースから得たハンドオフに失敗した領域のマップを表わすデータと、各領域ごとに、領域と１つ以上の基地局と関係付けている関係付けデータとを保持しているメモリをさらに含む請求項３８記載のシステム。
【請求項４０】
データベースから得たデータにアクセスするように構成されていて、かつこのデータを使用して、ハンドオフに失敗した領域内へロームしたことを検出したときに、ハンドオフに失敗した領域と関係付けられた１つ以上の基地局を、ハンドオフを支援するために加入者局に適用可能な１つ以上のリスト上へ強制的に載せるか、または強制的に載せ続ける１つ以上の加入者局を含む請求項３９記載のシステム。
【請求項４１】
データベースから得たデータにアクセスするように構成されていて、かつこのデータを使用して、ハンドオフに失敗した領域内へロームしたことを検出したときに、ハンドオフを支援するために加入者局に適用可能な１つ以上の閾値を調節するか、または調節し続ける１つ以上の加入者局をさらに含む請求項３９記載のシステム。
【請求項４２】
データベースから得たデータにアクセスするように構成されていて、かつこのデータを使用して、ハンドオフに失敗した領域内へロームしたことを検出したときに、ハンドオフを支援するために加入者局に適用可能な１つ以上のサーチ時間を調節するか、または調節し続ける１つ以上の加入者局をさらに含む請求項３９記載のシステム。
【請求項４３】
１つ以上のトリガリングイベントが、受信可能領域のギャップ内へ、そこから外へ、またはその中でロームしている加入者局を含む請求項３７記載のシステム。
【請求項４４】
受信可能領域のギャップのマップを含んでいるデータベースから得られるデータを保持しているメモリをさらに含む請求項４３記載のシステム。
【請求項４５】
データベースから得られ、かつ１つ以上の勾配マップを表わしているデータを保持しているメモリをさらに含む請求項４３記載のシステム。
【請求項４６】
１つ以上のネットワークアプリケーションに役立つデータを得る方法であって、無線通信システム内で動作している複数の加入者局の各々によって、またはそのために、
１つ以上のトリガリングイベントに応答して、加入者局の位置推定を得るステップと、
加入者局の位置推定を、トリガリングイベントの識別子、およびトリガリングイベントに応答して、測定された、または得られたデータの何れかまたは両者と関係付けるレコードを形成するステップと、
データベースにレコードを記憶するか、または記憶し続けるステップとを実行することを含む方法。
【請求項４７】
１つ以上のトリガリングイベントが、ハンドオフに失敗した状態を含む請求項４６記載の方法。
【請求項４８】
ハンドオフに失敗した領域のマップを含むデータベースからのデータと、各領域と１つ以上の基地局とを関係付ける関係付けデータとを得ることをさらに含む請求項４７記載の方法。
【請求項４９】
加入者局がハンドオフに失敗した領域内へロームしたとき、ハンドオフに失敗した領域と関係付けられた基地局を、ハンドオフを支援するために加入者局に適用可能な１つ以上のリスト上へ強制的に載せるか、または載せ続けることをさらに含む請求項４８記載の方法。
【請求項５０】
加入者局がハンドオフに失敗した領域内へロームしたとき、ハンドオフを支援するために加入者局に適用可能な１つ以上の閾値を調節するか、または調節し続けることをさらに含む請求項４８記載の方法。
【請求項５１】
加入者局がハンドオフに失敗した領域内へロームしたとき、ハンドオフを支援するために加入者局に適用可能な１つ以上のサーチ時間を調節するか、または調節し続けることをさらに含む請求項４８記載の方法。
【請求項５２】
１つ以上のトリガリングイベントが、受信可能領域のギャップ内へ、そこから外へ、またはその中でロームすることを含む請求項４６記載の方法。
【請求項５３】
データベースから、受信可能領域のギャップのマップを表わすデータを得ることをさらに含む請求項５２記載の方法。
【請求項５４】
データベースから、１つ以上の勾配マップを表わすデータを得ることをさらに含む請求項５２記載の方法。
【請求項５５】
ネットワークの計画または最適化アプリケーションのためのデータを使用することをさらに含む請求項５３記載の方法。
【請求項５６】
ネットワークの計画または最適化アプリケーションのためのデータ、またはＲＦ伝搬モデルを確認するためのデータを使用することをさらに含む請求項５４記載の方法。
【請求項５７】
１つ以上のネットワークアプリケーションに役立つデータを得る方法であって、
複数の加入者局の各々のために、トリガリングイベントに応答して得られた加入者局の位置推定を、トリガリングイベントの識別子、およびイベントに応答して、測定された、または得られたデータの何れかあるいは両者と関係付けるレコードを形成するステップと、
データベース内にレコードを記憶するステップと、
データベースから得たデータを使用して、１つ以上のネットワークの計画、最適化、確認、または動作アプリケーションを行なうステップとを行なうことを含む方法。
【請求項５８】
基地局暦情報が、前記データベースに関係する請求項３３記載の方法。
【発明の詳細な説明】
【技術分野】
【０００１】
関連出願
本出願は、2003年1月30日に出願された米国仮出願第60/444,246号、および2003年4月17日に出願された米国仮出願第60/463,910号に対して優先権を主張している。
【０００２】
発明の分野
本発明は、無線通信の分野、とくに、ネットワークアプリケーションに役立つデータ収集に関する。
【背景技術】
【０００３】
ネットワークアプリケーションに役立つデータを収集するための現在のアプローチは、暫定的に労力をたくさん使い、専用の装置およびオペレータを使用しなければならない。図１では、例えば、専用の受信および監視装置を備えた車両118に関わる特別な運転試験手順を実行して、データを収集する。示されている特定の例では、中継器110の配置を最適化するために、データを収集し、（ドナー）基地局108と中継器110との組み合わせによって、拡張受信可能領域を与える。車両118は、ネットワークの技術者によって経路120に沿って運転され、基地局108から発信され、かつ中継器110によって中継されたパイロット信号の強度が、経路120に沿って、測定場所128a、128b、128c、および128dにおいて測定される。測定場所の位置は、事前に分かっているか、または車両118内の専用のＧＰＳ位置判断装置によって得られる。その後、測定値を使用して、中継器110の配置を最適化する。
【発明の概要】
【０００４】
ネットワークの技術者が運転する経路120は、一般に、暫定的であり、経路120が領域内の加入者局の使用パターンに近似しているという保証はないので、データ収集に対するこのアプローチには問題がある。
【０００５】
別の問題は、運転試験を行うのに使用される装置およびオペレータは、一般に、専用であり、したがって、データ収集のコストが増すことである。
【０００６】
第３の問題は、この手順によって収集されるデータは、ディスクリートな測定場所のサンプリングのみから収集され、したがってネットワーク、またはネットワーク構成要素の受信可能領域の粗い近似値のみが得られるので、ネットワークアプリケーションにおいて使用するには精度が不十分であることが多いことである。図１において、例えば、ディスクリートな測定場所128a、128b、128c、および128dにおいて得られるパイロット強度の測定値は、基地局108／中継器110の組合せに対応する拡張受信可能領域の近似値を与えるだけである。さらに加えて、このデータは、システム実行時における１つのみのスナップショットを表わす。
【０００７】
１つ以上のネットワークアプリケーションに役立つデータを得る方法を記載する。方法は、イベントの発生によってトリガされる。方法は、加入者局の位置推定を得ることを含む。次に、位置推定と、トリガリングイベントの識別子、あるいはトリガリングイベントに応答して、測定された、または得られたデータとを関係付けるレコードが形成される。次に、レコードは、記憶されるか、または伝送される。１つの実施形態では、方法は、１つ以上の加入者局の各々によって、全体的に、または部分的に行われる。別の実施形態では、方法は、基地局または位置判断エンティティのような、１つ以上の他のネットワークエンティティの各々によって、全体的に、または部分的に行われる。第３の実施形態では、方法は、１つ以上の加入者局と１つ以上の他のネットワークエンティティとの組合せの各々によって行われる。１つの構成では、トリガリングイベントの発生時に、加入者局の位置修正が開始され、レコードは、この修正から得られる位置推定から形成される。その代りに、レコードは、依然として正確であると考えられている、以前に得られた加入者局の位置推定から形成されてもよい。１つの実行では、レコードは局所的に記憶される。その代りに、レコードを、遠く離れた場所へ伝送してもよい。１つの実行例では、レコードは、遠く離れた場所に伝送され、ネットワークによってサービスされる他の加入者局に関係する同様のデータから形成されるレコードを保持するデータベース内に記憶される。したがって、このデータベース内のデータは、ネットワークの計画、最適化、確認、または動作のために使用されることもある。
【０００８】
上述の方法を明確に具体化するメモリ、および上述の方法にしたがって動作するシステムを記載する。当業者は、後述の図面の説明および詳細な説明を調べると、本発明の他のシステム、方法、特徴、および長所が明らかになるであろう。このような追加のシステム、方法、特徴、および長所が全て、この記述の中に含まれ、本発明の技術的範囲内であり、特許請求項によって保護されることが意図されている。
【０００９】
図中の構成要素は、必ずしも基準化されておらず、その代りに、本発明の原理を示すことに重点が置かれている。図において、同じ参照番号は、異なる図面全体を通して、対応する部分を示している。
【図面の簡単な説明】
【００１０】
【図１】ネットワークの計画または最適化に役立つデータを収集する運転試験手順の例を示す図。
【図２】イベントの発生に応答してデータを得る本発明にしたがう方法の実施形態のフローチャート。
【図３】図２の方法により得られたデータから形成されるデータベースレコードの例示的なフォーマットを示す図。
【図４】無線通信システム上へ載せられたハイブリッド位置判断システムの例を示す図。
【図５Ａ】ハンドオフに失敗したシナリオの例を示す図。
【図５Ｂ】ハンドオフに失敗した領域を識別するマップの例を示す図。
【図５Ｃ】加入者局がハンドオフに失敗した領域内へ移動するか、または位置を特定されるとき、ネットワーク動作中に行われる方法の実施形態のフローチャート。
【図６】加入者局がハンドオフに失敗した領域内へ移動するときに、加入者局に適用可能な１つ以上のハンドオフに関係する閾値を下げる効果を示すグラフ。
【図７】選択された加入者局が受信可能領域のギャップの中へ、そこから外へ、またはそこを通って移動するときに、図２の方法が行われるシナリオの例を示す図。
【図８】受信可能領域のギャップを識別するマップの例を示す図。
【図９Ａ】ユーザのイベントに応答して、図２の方法が行われるシナリオの例を示す図。
【図９Ｂ】ＩＳ−９５対応システムにおけるパイロット強度測定メッセージ（ＰＳＭＭ）のフォーマットを示す図。
【図９Ｃ】無線通信システムにおける基地局の受信可能領域を示す勾配マップの例を示す図。
【図１０】図２の方法を行うシステムの実施形態のブロック図。
【図１１】図２のシステムを具体化するか、または取り入れる無線通信システムにおける加入者局のブロック図。
【発明を実施するための形態】
【００１１】
この中で使用されているように、“およそ（about）”、“実質的に(substantially)”、“おおよそ(approximately)”、および“ほぼ(near)”のような用語は、業界における許容可能な公差を説明する数学的精度における若干の余裕を認めることを意図している。したがって、“およそ”、“実質的に”、“おおよそ”、および“ほぼ”という用語によって変更される値からの１％ないし２０％以下の範囲における上方または下方へのずれは、その値の範囲内で明示的であるとみなされるべきである。
【００１２】
この中で使用されているように、“ソフトウエア(software)”という用語は、ソース符号、アセンブリ言語符号、二値符号、ファームウエア、マクロ命令、ミクロ命令、など、またはこのような用語の２つ以上の組合せを含む。
【００１３】
“メモリ(memory)”という用語は、プロセッサ読み出し可能媒体を指し、ＲＡＭ、ＲＯＭ、ＥＰＲＯＭ、ＰＲＯＭ、ＥＥＰＲＯＭ、ディスク、フロッピー（登録商標）ディスク、ハードディスク、ＣＤ-ＲＯＭ、ＤＶＤ、など、またはこのような用語の２つ以上の組合せを含むが、これらに制限されず、これらには、プロセッサによって実行可能な一連のソフトウエア命令が記憶される。
【００１４】
“プロセッサ(processor)”または“ＣＰＵ”という用語は、一連の命令を実行することができる装置を指し、汎用または専用のマイクロプロセッサ、有限状態機械、制御装置、コンピュータ、ディジタル信号プロセッサ（digital signal processor, DSP）、などを含むが、これらに制限されない。
【００１５】
“論理(logic)”という用語は、ハードウエア、ソフトウエア、あるいはハードウエアおよびソフトウエアの組合せにおける実行を指す。
【００１６】
“基地局（base station, BTS）”という語句は、全方向性基地局、セクタ化された基地局、セクタ化された基地局内の個々のセクタを含む。
【００１７】
“ＧＰＳ衛星(GPS satellite)”という語句は、宇宙飛行体（space vehicle, SV）を含む。
【００１８】
“無線通信システム(wireless communication system)”、“システム(system)”、または“ネットワーク(network)”という語句は、通信サービスが分散性媒質により加入者局へ与えられるシステムを意味し、セルラ、非セルラ、固定無線、ＡＭＰＳ、ＰＣＳ、ＣＤＭＡ、ＴＤＭＡ、ＧＳＭ、ＩＳ−９５対応、ＣＤＭＡ−２０００、およびＷＣＤＭＡ対応のシステムを含むが、これらに制限されない。これらの語句は、位置判断システムを取入れるか、それを統合するか、またはそれを載せた無線通信システムも含むが、これらに制限されない。
【００１９】
“位置判断システム（position determination system）”という用語は、無線通信システム上に載せられるか、その中で統合されるか、またはそれによって取入れられる位置判断システムを含む。
【００２０】
“レコード（record）”という用語は、２つ以上のデータ項目の関係付けを意味する。１つの実行において、“レコード”という用語は、単位として取扱われる２つ以上のデータ項目の関係付けである。
【００２１】
１つ以上のネットワークアプリケーションに役立つデータを得る方法の実施形態のフローチャートは、図２に示されている。この実施形態では、方法は、イベント200の発生によってトリガされる。１つの実施形態では、方法は、１つ以上の加入者局によって、全体的に、または部分的に行われる。別の実行では、方法は、基地局または位置判断エンティティのような、無線通信システム内の１つ以上の他のエンティティの各々によって、全体的に、または部分的に行われる。第３の実行では、方法は、１つ以上の加入者局と１つ以上の他のネットワークエンティティとの各組合せによって、全体的に、または部分的に行われる。方法は、加入者局の位置推定を得るステップ202を含む。１つの実行では、このステップは、イベントに応答して加入者局の位置修正を開始することと、加入者局の結果の位置推定を得ることを含む。別の実行では、このステップは、トリガリングイベント200の発生時に有効であったか、またはそれに十分に近い時に得られた前の位置修正に基いて加入者局の位置推定を得ることを含み、したがって、位置推定は依然として正確であると考えられる。行われるときは、加入者局が位置修正を開始するか、または、その代わりに、別のネットワークエンティティが、加入者局によって与えられた時間の測定値を使用して、位置修正を開始する。加入者局の位置修正を行うことができるアプローチの幾つかは、別途記載する。位置修正は、加入者局の位置推定になる。
【００２２】
方法は、オプションステップ204も含み、イベントの発生に応答して、１回以上のデータ測定を行うか、または測定する。１つの実施形態では、加入者局が、１回以上のデータ測定を行うか、または測定する。別の実施形態では、基地局または位置判断エンティティのような、無線通信システム内の別のエンティティが、１回以上のデータ測定を行うか、または測定する。図２において、このステップは、ステップ202の後で行われるように示されているが、ステップ202と並行して行ってもよいことが分かるであろう。
【００２３】
方法は、ステップ202において得られた位置推定を、トリガリングイベント200の識別子か、またはオプションステップ204から得られた１つ以上のデータ測定値、あるいはこの両者と関係付けるレコードを形成するステップ206を含む。
【００２４】
ステップ206の後には、ステップ208が続く。ステップ208では、レコードが記憶または伝送される。１つの実施形態では、レコードは、加入者局において形成され、局所的に記憶される。別の実施形態では、レコードは、加入者局において形成され、遠く離れた場所へ伝送される。１つの実行では、レコードは、加入者局において形成され、別のネットワークエンティティへ伝送され、他の加入者局に関係する同様のデータを取入れているレコードを保持しているデータベースに記憶される。別の実行では、レコードは、ネットワークエンティティにおいて形成され、データベースに記憶される。
【００２５】
このようなレコードの例示的なフォーマットは、図３に示されている。この特定の例では、レコードは、フィールド300、すなわち、トリガリングイベントの識別子と、オプションフィールド302、すなわち、トリガリングイベントに応答して、捕捉または収集される１つ以上のデータ測定値と、フィールド304、すなわち、トリガリングイベントの発生に応答して得られる加入者局の位置推定とを含む。
【００２６】
図２の方法は、無線通信システム、または位置判断システム、あるいはこの両者内で動作する複数のネットワークエンティティの各々によって、またはそれのために行われる。１つの実行では、方法は、システム内で動作している全ての、または実質的に全ての加入者局の各々によって、またはそれのために行われる。別の実行では、方法は、データ収集処理において使用できる割戻し、割引き、などの形の特別の報酬を与えられた加入者と関係付けられた、許可または選択された加入者局のために行われる。全てのこれらの加入者局のためのレコードは、中央データベースにおいて収集され、記憶される。各レコードは、トリガリングイベントのおよその発生時における加入者局の位置推定を、イベント識別子か、またはトリガリングイベントに応答して得られる１つ以上のデータ測定値、かあるいはこの両者と関係付けているので、これらのレコードから得られるデータは、ネットワークの計画、最適化、確認、または動作アプリケーションに十分に適している。データを収集すること、運転試験に携わること、などのための従来のアプローチと比較して、この方法は、ネットワーク内に既に存在している装置によって行われ、専用の装置の使用を必要としないので、比較的に廉価である。また、これは、収集されるデータが暫定的でなく、フィールド内の加入者の実際の使用パターンを反映し、かつディスクリートなサンプル点に制限されることもないので、より正確である。
【００２７】
１つの実施形態では、図２の方法は、ネットワークイベントによってトリガされる。この実施形態では、加入者局が最初に確認したネットワークイベント、およびネットワーク内の別のエンティティが最初に確認したネットワークイベントを含む、種々のネットワークイベントが可能である。可能なネットワークイベントをトリガする例は、呼を実際に、またはほぼ切断した状態、加入者局が特定のネットワークまたはネットワークエンティティの受信可能領域内へ入ること、加入者局が特定のネットワークまたはネットワークエンティティの受信可能領域から出ていくこと、加入者局がネットワークまたはネットワークエンティティの受信可能領域の外にいる間に、定期的にタイマの期限が切れること、ハードまたはソフトの、実際に、またはほぼハンドオフした状態、加入者局が２つのネットワークまたはネットワークエンティティの受信可能領域間を通ること、加入者局がドナー基地局および中継器の受信可能領域間を通ること、加入者局において予想外のパイロットまたは基地局を検出すること、あるいは加入者局において加入者局の近隣または候補のリストにないパイロットまたは基地局を検出することを含む。他の例も可能であり、したがってこれらを制限的であると解釈すべきではない。
【００２８】
別の実施形態では、図２の方法は、位置修正の開始、または９１１呼のような位置修正の開始を通常導くイベント、またはウェブが使用可能な加入者局におけるサービスのための位置に依存するサーチ（例えば、加入者局の現在の位置からのある特定の範囲内のレストランまたは他の施設のサーチ）の開始のような、加入者局またはユーザのイベントによってトリガされる。ユーザイベントの他の例も可能であり、これらの特定の例を制限的であると解釈すべきではない。
【００２９】
第３の実施形態では、イベントは、単に、タイマ、または他のタイミング素子（例えば、目標またはレベルへカウントアップまたはカウントダウンするカウンタ）の期限切れ、もしくは同様の発生である。
【００３０】
１つの実施形態では、加入者局の位置は、加入者局が動作している無線通信システム上に載せられた位置判断システムによって判断される。図４は、このようなシステムの例を示している。示されているように、加入者局412は、加入者局の受信機にとって認識できる複数の基準源402、404、406、および408によって送信された信号を受信する。示されているように、基準源は、基地局（ＢＴＳ）、ＧＰＳ衛星、またはＢＴＳとＧＰＳ衛星との組合せである。
【００３１】
基準源の各々は、信号を送信し、信号は、基準源を固有に識別する識別符号で変調される。１つの実行では、識別符号は、ＰＮ符号であり、その長さまたは周期性は、関与する基準源にしたがって異なる。ＩＳ−９５対応のＣＤＭＡシステムでは、ＰＮ符号は、２６．６７ミリ秒ごとに反復される一続きの３２，７６８チップである。現在のＧＰＳシステムでは、ＰＮ符号は、１ミリ秒ごとに反復される一続きの１，０２３チップである。
【００３２】
加入者局412は、各信号の時間の測定値を求めるように構成された相関器を備えている。１つの例において、時間の測定値は、到達時間の測定値である。別の選択として、相関器が時間の測定値を求める代わりに、加入者局内のプロセッサが、相関器によって加入者局に与えられた相関関数から時間の測定値を求めてもよい。相関関数は、加入者局において受信された複合信号と、選択されたＰＮ符号とを相関させる。システム時間基準が使用可能であるときは、加入者局412は、この情報を使用して、システム時間に関係するように、時間の測定値を調節する。その代りに、加入者局412と通信している位置判断エンティティ（position determination entity, PDE）400が、このタスクを行ってもよい。
【００３３】
加入者局412は、ＰＤＥ400へ時間の測定値を伝える。ＰＤＥ400は、この情報を受信すると、メモリ402内に保持されている1つ以上の暦から、基準源402、404、406、および408の（既知の）位置を得る。次に、ＰＤＥ400は、時間の測定値と基準源の位置とを使用して、加入者局412の位置を判断する。１つの実行では、既知の三角測量または三辺測量の手順を使用して、加入者局412の位置を求める。加入者局412の位置は、判断されると、ＰＤＥ400によって、加入者局412か、または他のネットワークエンティティへ伝えられる。
【００３４】
その代りに、加入者局412が、時間の測定値と、ＰＤＥ400によって、または他のデータ源から与えられた基準源402、404、406、408の位置とから、自分自身の位置を判断してもよい。
【００３５】
１つの実行では、ステップ202において得られる位置推定は、高度順方向リンク三辺測量（advanced forward link trilateration, AFLT）の位置修正（すなわち、基地局から発信された順方向リンク伝送から得られる時間の測定値から判断されるもの）の開始に応答して得られる。第２の実行では、位置推定は、ＧＰＳの位置修正（すなわち、ＧＰＳ衛星から発信された伝送から判断されるもの）に応答して得られる。第３の実行では、位置推定は、ＧＰＳ支援の位置修正に応答して得られる。ＧＰＳ支援の位置修正は、２ステップで行われる。第1のステップでは、基地局からの順方向リンク伝送を使用して、加入者局のおおよその位置を推定する。第２のステップでは、第１のステップによる位置推定を、ＧＰＳ衛星の伝送により、より高レベルの精度に微調整する。
【００３６】
１つの実施形態では、本発明にしたがう方法を２段階で進める。第１の段階は、データ収集段階である。第２の段階は、ネットワークアプリケーション段階である。第１の段階中に、図２の方法を使用して、複数の加入者局の各々によって、またはそのために、データを収集し、中央データベースに記憶する。第２の段階中に、データを使用して、１つ以上のネットワークアプリケーションを支援する。
【００３７】
この２段階処理の1つの実施形態では、第１のデータ収集段階中に、ネットワーク内の１つ以上の許可された加入者局の各々によって、またはそのために、図２の方法を、全体的に、または部分的に行なう。第２のネットワークアプリケーション段階中に、データ収集段階において収集されたデータから得たデータを、ネットワークの動作を支援するために使用する。この実施形態におけるデータ収集段階のトリガリングイベントは、呼が切断され、その直ぐ後で、呼が切断されたときには、加入者局にとって使用可能なアクティブなリストに存在しなかった、またはずっと存在していない基地局によって、通信サービスを再び獲得する状態である。知られているように、アクティブなリストは、加入者局にとって認識でき、かつＩＳ−９５対応システムにおけるハンドオフのためにユーザ情報を伝送している基地局のリストである。
【００３８】
このトリガリングイベントは、目標の基地局のパイロット信号が、最初は、加入者局の候補リスト上に載せるには弱過ぎるが、後で、既存の基地局が目標の基地局を加入者局のアクティブな組へ加えることができる前に、突然に、既存の基地局との通信を遮断するほど強くなったために、パイロットへハンドオフを行なうのを阻止された状況を示す。これは、加入者局が、加入者局にとって認識できるパイロット信号によってサーチするレートよりも迅速に、目標の基地局がパイロット信号を遷移するときにしばしば生じる。
【００３９】
この状況が発生する例は、図５Ａに示されている。加入者局は車両500内に含まれていて、車両500は、建物510の角512を経路506に沿ってちょうど曲がったところである。車両500が角512を曲がる直前に、加入者局は、基地局504によって呼につながっている。そのとき、基地局502は加入者局にとって認識できないので、基地局502は加入者局のアクティブなリスト上にない。車両500が角512を曲がった後で、基地局504は急に加入者局にとって、最早認識できなくなるので、呼は切断される。基地局502は、今は、加入者局にとって認識できるが、呼が切断されたときは、基地局502はアクティブなリスト上に示されていないので、この基地局へのハンドオフは行われない。その後で、加入者局は、基地局502によって通信サービスを再び獲得する。
【００４０】
このトリガリングイベントが起きると、加入者局は位置修正を開始するか、または開始し続ける。十分に正確なＡＦＬＴに基く位置修正を可能にするには、加入者局にとって認識できる基地局の数が不十分であるときは、ＧＰＳまたはＧＰＳ支援の位置修正が開始される。その後で、結果の位置推定と、ハンドオフに失敗した状態を示す識別子、およびハンドオフに失敗した／呼が切断された状態の直前のアクティブな組のメンバか、またはハンドオフに失敗した／呼が切断された状態の直後のアクティブな組のメンバの一方または両方を識別する１つ以上の識別子（例えば、ＰＮ符号）とを関係付けるレコードが形成される。１つの実行では、再獲得させた目標の基地局502の識別子も含まれる。その後で、レコードは中央データベースに記憶される。中央データベースには、システム内の他の加入者局からの同様のレコードも記憶される。次に、このデータベースを使用して、図５Ｂに示されているような、ネットワークの受信可能領域514内のハンドオフに失敗した領域516a、516b、516c、および516dが識別されているマップを形成する。このデータベースは、これらのハンドオフに失敗した領域の各々を、ハンドオフに失敗した／呼が切断された状態の直前のアクティブな組のメンバか、またはハンドオフに失敗した／呼が切断された状態の直後のアクティブな組のメンバの一方または両方と関係付ける関係付けデータを形成するのにも使用される。１つの実行では、この関係付けデータは、各ハンドオフに失敗した領域について、目標の基地局、すなわち、データ収集段階中に、ハンドオフに失敗した後で、通信サービスを再獲得させた基地局とも関係付ける。
【００４１】
方法の第２の段階中に、このマップおよび関連する関係付けデータは、概ねネットワークの動作を支援するために、加入者局に使用可能にされる。１つの実施形態では、これらの加入者局の各々は、図５Ｃに示されている方法を行う。この方法のステップ518では、加入者局は、１つ以上のトリガリングイベントに応答して、位置修正を行うか、または行い続ける。トリガリングイベントは、９１１呼、または場所に依存するサービス要求のような、ユーザイベントを含む。照会ステップ520では、加入者局は、結果の位置推定と、マップ上のハンドオフに失敗した領域の場所とを比較するか、または比較し続ける。加入者局が、マップ上で識別されるハンドオフに失敗した領域の１つに、またはその近くにいるときは、ステップ522が行われる。ステップ522では、ハンドオフに失敗した領域と関係付けられた目標の基地局を、加入者局の候補リスト上に強制的に載せるか、または、さもなければ、システムのハンドオフの感度を向上するか、あるいはこの両者を行う。したがって、ネットワークは、この基地局へのハンドオフを開始し、呼切断状況を回避することができる。
【００４２】
その代りに、図５Ｃの方法は、ネットワーク内の別のエンティティ、例えば、加入者局が、ハンドオフに失敗した領域内へロームしたときに、加入者局にサービスしている基地局、またはＰＤＥによって行われることもある。この実施形態では、加入者局がハンドオフに失敗した領域に遭遇すると、ネットワークエンティティは、目標の基地局を、加入者局のアクティブなリストに強制的に載せる。これを行うことにより、ネットワークエンティティは、事実上、目標の基地局へのハンドオフの開始を強制する。
【００４３】
２段階方法の第２の実施形態では、第１のデータ収集段階では、前の実施形態において記載したように、ハンドオフに失敗した領域が識別される。しかしながら、第２のネットワークアプリケーション段階では、基地局を加入者局の候補またはアクティブなリスト上に強制的に載せる代わりに、加入者局が、ハンドオフに失敗した領域内へロームしたか、またはその中で動作しているかことが検出されると、ハンドオフを支援するために加入者局（または、加入者局にサービスしている基地局）が使用する1つ以上の閾値を変更し、望ましくは、加入者局が、呼切断状態を避けるのに十分に早く、ハンドオフ状態を開始するか、または開始し続けることができるようにする。
【００４４】
１つの実行では、加入者局が、ハンドオフに失敗した領域内へロームすると、その加入者局に適用可能なＴ ＡＤＤ閾値を下げる。知られているように、ＩＳ−９５対応システムにおいて、Ｔ ＡＤＤ閾値は、加入者局の近傍のリスト上の基地局が、加入者局の候補リストに加えられるかどうかを判断する絶対閾値である。この実行では、加入者局が、ハンドオフに失敗した領域に入ると、加入者局に適用可能なＴ ＡＤＤ閾値を下げる。次に、ハンドオフに失敗した領域と関係付けられた目標の基地局が、加入者局の近傍のリスト上に既に存在していると仮定すると、Ｔ ＡＤＤ閾値を十分に下げることによって、目標の基地局と関係付けられたパイロットを、加入者局の候補リストにより早く移動し、ネットワークがその基地局へのハンドオフを、より早く、望ましくは、呼切断状況が起きる前に、開始できるようにする。
【００４５】
Ｔ ＡＤＤ閾値を下げる代りに、またはそれに加えて、加入者局が、ハンドオフに失敗した領域に入ると、目標の基地局を、加入者局の近傍のリスト上に強制的に載せてもよい。これにより、その基地局が加入者局の近傍のリスト上に載っていなくても、ネットワークは、この基地局へのハンドオフを開始することができる。
【００４６】
別の変形では、Ｔ ＡＤＤ閾値を下げるか、または目標の基地局を加入者局の近傍のアクティブな、または候補のリスト上に強制的に載せるか、あるいはこの両者に加えて、またはその代わりに、加入者局が、ハンドオフに失敗した領域内へロームすると、その加入者局に適用可能なＴ ＣＯＭＰ閾値を下げる。知られているように、ＩＳ−９５対応システムにおいて、Ｔ ＣＯＭＰ閾値は、基地局を加入者局の近傍のリストから候補のリストへ移動するときを判断する相対閾値である。Ｔ ＣＯＭＰ閾値を下げることによって、目標の基地局を、加入者局に適用可能な候補リストにより早く移動し、ネットワークが、その基地局へのハンドオフをより早く、望ましくは、呼切断状況が起きる前に、開始できるようにする。
【００４７】
さらに別の変形では、Ｔ ＡＤＤ閾値および／またはＴ ＣＯＭＰ閾値を下げるか、または目標の基地局を加入者局の近傍または候補のリスト上に強制的に載せるか、あるいはこの両者に加えて、またはその代わりに、加入者局が、ハンドオフに失敗した領域内へロームすると、ネットワークは、単に、目標の基地局を加入者局のアクティブなリスト上へ強制的に載せる。知られているように、ＩＳ−９５対応システムにおいて、アクティブなリストは、加入者局が同時に通信する基地局のリストである。アクティブなリスト上に多数の基地局が存在することは、加入者局が、ソフトなハンドオフ状態であることを示す。目標の基地局を加入者局のアクティブなリストに強制的に載せることによって、ネットワークは、目標の基地局とのソフトハンドオフ状態を開始する。
【００４８】
第３の変形では、加入者局の近傍および／または候補のリスト上のパイロット信号によってサーチするためのサーチ時間を低減して、これらのパイロット信号の１つ以上を分類し直すべきかどうかをより早く検出できるようにする。１つの実行では、加入者局の近傍および候補のリスト上のパイロットによってサーチするのに必要な時間を管理するフィルタ時間定数を変更することによって、サーチ時間を低減する。このサーチ時間を低減すると、適用可能なＴ ＡＤＤおよびＴ ＣＯＭＰ閾値を越えたパイロットを、加入者局の候補リスト上へより迅速に移動することができる。また、これは、加入者局が、ハンドオフに失敗した領域内へロームすると、ネットワークが、ソフトなハンドオフ状態をより早く開始することを可能にする。１つの例において、サーチ時間は、最大４０ミリ秒から最大１０ミリ秒へ低減される。
【００４９】
この実行例の動作を、図６を参照してさらに記載する。加入者局がハンドオフに失敗した領域内へロームするとき、加入者局が、パイロット信号Ｐ０をもつ基地局と通信していると仮定する。したがって、パイロットＰ０は、加入者局のアクティブなリスト上にある。加入者局は、ハンドオフに失敗した領域に入ると、目標のパイロット信号Ｐ１を感知し始める。加入者局は、ハンドオフに失敗した領域に入ると、それに適用可能なＴ ＡＤＤおよびＴ ＣＯＭＰ閾値を、それぞれ、Ｔ ＡＤＤからＴ ＡＤＤ’へ、およびＴ ＣＯＭＰからＴ ＣＯＭＰ’へ下げる。
【００５０】
時間ｔ０において、パイロットＰ１の強度は、Ｔ ＡＤＤ’を越える。したがって、加入者局は、パイロットＰ０と関係付けられたサービスしている基地局へ、パイロット強度測定メッセージ（pilot strength measurement message, PSMM）を送って、パイロットＰ１の強度を報告し、パイロットＰ１を加入者局の候補リストに加えるように、サービスしている基地局に命令する。時間ｔ１は、Ｔ ＡＤＤ閾値が事実上そのままであったならば、パイロットＰ１を加入者局の候補リストに加えたであろう時間である。
【００５１】
時間ｔ２において、パイロットＰ１の強度は、パイロットＰ０の強度よりも、Ｔ ＣＯＭＰ’×０．５デシベルの量分、上回っている。この特定の例において、目標の基地局のパイロットの強度が、サービスしている基地局の強度よりも、Ｔ ＣＯＭＰ’×０．５デシベルの量分、上回っているときは、加入者局は、目標の基地局を近傍のリストから候補のリストへ移動すると仮定する。したがって、時間ｔ２において、加入者局は、別のＰＳＭＭをサービスしている基地局へ送って、パイロットＰ１の強度を報告し、目標の基地局を加入者局の候補のリストに加えるように、サービスしている基地局に命令する。ネットワークは、この第２のＰＳＭＭを受信すると、目標の基地局をアクティブなリストへ移動し、目標の基地局とのソフトなハンドオフ状態を開始すると仮定する。
【００５２】
時間ｔ３において、パイロットＰ０は、加入者局にとって最早認識できず、加入者局のアクティブな（および候補の）リストから削除される。しかしながら、目標の基地局へのソフトなハンドオフが、時間ｔ２の前に開始されているので、加入者局がハンドオフに失敗した領域に入るときに進行中の呼は、切断されない。時間ｔ４は、閾値Ｔ ＣＯＭＰが事実上そのままであったならば、目標の基地局へのソフトなハンドオフが開始されたであろう時間である。時間は、時間ｔ３の後であるので、Ｔ ＣＯＭＰが事実上そのままであったならば、呼切断状況が起きたであろう。したがって、Ｔ ＣＯＭＰの閾値をＴ ＣＯＭＰ’へ下げることによって、パイロットＰ１へのソフトなハンドオフがより早く開始され、呼切断状況が回避されることが分かる。
【００５３】
２段階方法の第３の実施形態では、第１のデータ収集段階において、データは、１つ以上の許可された加入者局によって、またはそれらのために収集され、中央の記憶場所に記憶される。第２のネットワークアプリケーション段階では、このデータを使用して、１つ以上のネットワークの計画または最適化アプリケーションを支援する。
【００５４】
この実施形態のデータ収集段階を、図７を参照して記載する。図７は、セル700a、700b、700c、および700dを含むセルラ無線通信システムを示している。これらのセルの各々は、それぞれ、基地局702a、702b、702c、および702dによってサービスされる。これらのセルの受信可能領域は、それぞれ、参照番号704a、704b、704c、および704dで識別されている。これらの基地局の合成受信可能領域におけるギャップまたは隙間は、参照番号700eで識別されている。位置判断システムは、この無線通信システム上に載せられていると仮定する。この位置判断システムは、ＡＦＬＴ、ＧＰＳ、またはＧＰＳ支援システムである。
【００５５】
この無線通信システム内で動作している許可された加入者局は、図２の方法を全体的に、または部分的に行うか、または行い続け、それによって、データを収集し、ネットワークの計画または最適化アプリケーションを支援するように構成されている。図７では、１つのこのような加入者局は、車両706内に置かれていると仮定する。別のこのような加入者局は、参照番号710で識別されている。
【００５６】
この実施形態の１つの実行では、図２の方法を引き起こすトリガリングイベントは、許可された加入者局が、システムの受信可能領域内のギャップ700e内へロームするときである。別の実行では、トリガリングイベントは、許可された加入者局が、受信可能領域のギャップから外へロームするときである。第３の実行では、トリガリングイベントは、加入者局が、受信可能領域のギャップ内で移動しているときである。第４の実行では、トリガリングイベントは、これらの１つ以上の任意の組合せである。１つの例において、加入者局が受信可能領域のギャップ内へロームすることは、呼が切断された、またはほぼ切断された状態が存在するときか、または加入者局にとってパイロットが認識できないときか、あるいはこの両者のときに検出される。同様に、加入者局が受信可能領域のギャップから外へロームすることは、加入者局が通信サービスを再び獲得するときに検出される。
【００５７】
図７に示されている例では、許可された加入者局の１つは、受信可能領域のギャップ700e内へロームすると、位置修正を開始するか、または開始し続けるか、あるいは位置推定が依然として正確であると考えられる基礎イベントに十分に近い時間において行われた前の位置修正からの位置推定にアクセスするか、またはアクセスし続ける。したがって、車両706が受信可能領域のギャップ700e内へロームすると、車両706内の加入者局は、位置修正を開始するか、または開始し続けるか、あるいは、さもなければ、場所708の位置推定にアクセスするか、またはアクセスし続ける。同様に、加入者局710が、受信可能領域のギャップ700e内へロームすると、加入者局710は場所712aの位置修正を開始するか、または開始し続けるか、あるいは位置推定にアクセスするか、またはアクセスし続ける。
【００５８】
１つの実施形態では、位置修正を行なうときは、先ず、ＧＰＳの位置修正を試みる。これが成功しないときは、次に、ＧＰＳ支援の位置修正を試みる。この実施形態では、ＡＦＬＴを用いた位置修正は、最後の手段として試みる。別の実施形態では、ＡＦＬＴを用いた位置修正を許可するのに、加入者局にとって認識できる基地局の数が十分であるかどうかを検査する。加入者局が受信可能領域のギャップに入ったときに、ＡＦＬＴを用いた位置修正を許可するには、加入者局にとって認識できる基地局の数が不十分であるときは、この実施形態では、ＧＰＳまたはＧＰＳ支援の位置判断システムが使用可能であると仮定して、位置修正は、ＧＰＳ衛星の伝送によって行われる。他の実施形態も可能であり、したがって、これまでの記述は、制限的でないと解釈すべきである。
【００５９】
その代りに、または加えて、加入者局が受信可能領域のギャップを出て行くとき、通信サービスを再び獲得する際に、加入者局が位置修正を開始するか、または開始し続けるか、あるいは、さもなければ、位置推定を得るか、または得続ける。位置修正は、開始される場合は、ＡＦＬＴ伝送、ＧＰＳ伝送、またはこの両者の組合せを使用して行われる。したがって、図７において、車両706内の加入者局は、受信可能領域のギャップ700eを出て行くとき、位置修正を開始するか、または開始し続けるか、あるいは、さもなければ場所708bの位置推定を得るか、または得続ける。同様に、加入者局710は、受信可能領域のギャップを出て行くと、位置修正を開始するか、または開始し続けるか、あるいは、さもなければ、場所712bの位置推定を得るか、または得続ける。
【００６０】
また、加入者局は、受信可能領域のギャップを移動している間に、（タイマ、等により）定期的な位置修正を開始するか、または開始し続ける。加入者局が受信可能領域のギャップ内にいる間は、ＡＦＬＴの伝送は、定義により、加入者局にとって容易に使用可能でないので、これらの位置修正は、ＧＰＳまたはＧＰＳ支援の伝送を用いて実行されることが多い。このように、図７において、車両706内の加入者局は、受信可能領域のギャップを移動している間に、場所708cの位置修正を開始するか、または開始し続ける。この位置修正は、加入者局が受信可能領域のギャップ内へロームしたときに始動したタイマが切れたときに、開始される。このタイマは、加入者局が通信サービスを再び獲得するまで、定期的に再始動される。したがって、加入者局は、受信可能領域のギャップを移動している間、定期的な位置修正を開始するか、または開始し続ける。
【００６１】
得られる位置推定の各々に対して、加入者局は、状況に応じて、受信可能領域のギャップに入るか、そこを出ていくか、あるいはそこを移動しているかのトリガリングイベントの識別子を、加入者局の位置推定と関係付けるレコードを形成するか、または形成し続ける。次に、このレコードを、許可された加入者局に関係する同様のレコードを含んでいるデータベース内に記憶するか、または記憶するために伝送する。その後で、このデータベース内のデータは、１つ以上のネットワークの計画または最適化アプリケーションを支援するために使用可能にされる。
【００６２】
１つのこのようなアプリケーションにおいて、例えば、図８に示されているマップは、データベース内のデータから得られる。このマップは、無線通信システムの受信可能領域800、およびその受信可能領域内の受信可能領域のギャップ802a、802b、802cを示す。次に、このマップを使用して、１つ以上のネットワークの計画または最適化アプリケーションを支援し、既存の基地局および／または中継器の位置を最適化するか、あるいは基地局および／または中継器をシステムに加えて、受信可能領域のギャップを削除または低減するか、もしくはこの両者である。
【００６３】
２段階方法の第４の実施形態では、第１の段階において、位置判断システムを載せた無線通信システムにおいて動作している１つ以上の許可された加入者局のために、またはそれによって、データ収集を行なう。データは、収集されると、中央の記憶場所に記憶される。第２の段階において、データを使用して、１つ以上のネットワークの計画、最適化、または確認アプリケーションを支援する。
【００６４】
第１のデータ収集段階を、図９Ａを参照して記載する。この図は、それぞれ基地局904aおよび904bによってサービスされるセル900aおよび900bを含むセルラ無線通信システムを示している。セルの受信可能領域は、参照番号906aおよび906bでそれぞれ識別される。位置判断システムは、無線通信システム上に載せられていると仮定する。
【００６５】
トリガリングイベントが、位置修正の開始であるか、または加入者局による位置修正を通常開始させるユーザイベントであるとき、システム内で動作している１人以上の許可された加入者は、図２の方法を全体的に、または部分的に行うか、または行い続けるように構成される。例えば、９１１呼、または加入者局のある特定の距離内に位置するレストランのような、場所に依存する施設またはサービスに対する、ウエブが使用可能な加入者局における要求である。
【００６６】
図９Ａに示されている例では、経路908に沿って運転している車両902内の加入者局は、位置修正を開始するか、または開始し続けるか、あるいは、さもなければ、場所910a、910b、910cの位置推定を得るか、または得続けると仮定する。加入者局は、位置推定を得ると、加入者局にとって認識できる１つ以上のパイロットの強度または位相、あるいはこの両者を測定するか、または測定し続けて、これらの１つ以上の測定値を、加入者局のための位置推定と関係付ける１つ以上のレコードを準備するか、または準備し続ける。
【００６７】
１つの実行では、加入者局は、加入者局にとって認識できる１つ以上のパイロットの強度測定値を含む従来のＰＳＭＭを、加入者局の位置推定と関係付けて、変更ＰＳＭＭを準備するか、または準備し続ける。図９Ｂは、従来のＰＳＭＭを示しており、部分909は、報告される加入者局にとって認識できる１つ以上のパイロットの各々に対して反復される。図９Ｂ内の各フィールドの意味は知られおり、この開示においてさらに詳しく記載する必要はない。このメッセージは、この実行において、加入者局の位置推定のフィールドで補われる。
【００６８】
次に、１つ以上のレコードが、他の加入者局に関係する同様のレコードを含むデータベース内に記憶されるか、または記憶のために伝送される。ある期間の後で、十分な数のレコードがデータベース内に構築されると、処理の第２の段階が開始される。この第２の段階では、１つ以上の勾配マップが、データベースから得られる。これらの勾配マップの各々は、ネットワーク内の基地局の受信可能領域の勾配を表現している。
【００６９】
図９Ｃは、データベース内に記憶されているデータから得られる勾配マップの例を示している。示されているように、マップは、複数の順番に並べられた同心の等高線912a、912b、912cを含み、各等高線は、特定のパイロット信号の強度と関係付けられ、等高線は、パイロット信号の強度が、内側の等高線から外側の等高線へ次第に低減するように並べられている。したがって、図９Ｃの例では、等高線912aは、強いパイロット信号の強度を示し、等高線912bは、中位のパイロット信号の強度を示し、等高線912cは、基地局の受信可能領域の外側の境界における弱いパイロット信号の強度を示す。これらの勾配マップが得られると、１つ以上のネットワークの計画、最適化、または確認アプリケーションを支援するのに使用される。１つの例では、これらは、システムを計画または最適化するのに以前に使用されたＲＦ伝搬モデルを確認するのに使用される。
【００７０】
この２段階方法の第４の実施形態では、第１のデータ収集段階中に、データ収集のためのトリガリングイベントは、許可された加入者局が、アイドルモード中にサービスを失うときである。このようなサービスの喪失は、例えば、加入者が現在のパイロットまたはその近傍のパイロットのページングチャネルを復号するのを妨害するほど強い新しいパイロットに、加入者局が遭遇するときに生じる。このようなトリガリングイベントが起きると、加入者局の位置が判断され、このイベントの識別子、および／または、新しいパイロットの識別子、および／または、新しいパイロットの強度の測定値と関係付けられる。このデータ収集は、複数の許可された加入者局の各々によって、またはそのために行われる。第２のネットワークアプリケーション段階中に、これらのパイロットに遭遇するネットワークのこれらの領域のマップが生成される。さらに加えて、これらの領域を調べて、単に弱い信号領域、またはパイロット／近傍リストの管理を向上する必要がある領域であるかどうかを判断する。
【００７１】
１つ以上のネットワークアプリケーションに役立つデータを得るシステムの実施形態は、図１０に示されている。示されているように、システムは、プロセッサ1000およびメモリ1002を含む。
【００７２】
メモリ1002は、図２の方法を行う一連のソフトウエア命令か、あるいは記載または提案したその実施形態、実行、変形、または例を明確に具体化している。
【００７３】
プロセッサは、メモリ1002によって明確に具体化されたソフトウエア命令にアクセスし、実行するように構成されている。これらの命令の実行によって、プロセッサ1000は、図２の方法を行う。
【００７４】
図１０のシステムは、図４の位置判断システム内で動作している１つ以上の許可された加入者局または他のネットワークエンティティによって具体化されるか、またはその中に取入れられる。これらのエンティティによって形成されるレコードは、ＰＤＥ400へ伝送され、データベース402内に記憶される。ある期間の後で、このデータベースに記憶されているデータから得られるデータは、上述の１つ以上のネットワークの計画、最適化、確認、または動作アプリケーションを支援するのに使用される。得られたデータが、ハンドオフの支援のような、ネットワークの動作アプリケーションを支援するのに使用される場合は、この得られたデータを、システム内で動作している全加入者局にとって使用可能にすることが必要である。
【００７５】
図１０のシステムを具体化または取入れた加入者局の実施形態は、図１１に示されている。別の例も可能であり、図１１内の何れも制限的であると解釈すべきではない。
【００７６】
無線トランシーバ（Ｔｘ/Ｒｘ）1106は、音声またはデータのようなベースバンド情報を変調して、ＲＦ搬送波にし、変調されたＲＦ搬送波を復調して、ベースバンド情報を得るように構成されている。
【００７７】
アンテナ1110は、変調されたＲＦ搬送波を無線通信リンク上で送信し、変調されたＲＦ搬送波を無線通信リンク上で受信するように構成されている。
【００７８】
ベースバンドプロセッサ1108は、ベースバンド情報を、無線通信リンク上で伝送するために、ＣＰＵ1102からトランシーバ1106へ与えるように構成されている。また、ＣＰＵ1102は、ユーザインターフェイス1116内の入力装置からベースバンド情報を得る。ベースバンドプロセッサ1108は、トランシーバ1106からＣＰＵ1102へベースバンド情報を与えるようにも構成されている。また、ＣＰＵ1102は、ユーザインターフェイス1116内の出力装置へベースバンド情報を与える。
【００７９】
ユーザインターフェイス1116は、音声またはデータのようなユーザ情報を入力または出力する複数の装置を含む。ユーザインターフェイス内に通常含まれている装置は、キーボード、ディスプレイスクリーン、マイクロフォン、およびスピーカを含む。
【００８０】
ＧＰＳ受信機(Ｒｘ)1112は、加入者局にとって認識できるＧＰＳ衛星からのパイロット信号から形成される複合信号を受信し、復調し、復調された情報を相関器1118へ与えるように構成されている。複合信号はアンテナ1114によって受信される。
【００８１】
無線トランシーバ1106は、加入者局にとって認識できる基地局によって伝送されたパイロット信号から形成された複合信号を受信し、復調し、復調された情報を相関器1118へ与えるように構成されている。複合信号は、アンテナ1110によって受信される。
【００８２】
この特定の例では、ＧＰＳ受信機1112および無線トランシーバ1106は、同じフィルタチェーンを共用するが、各々が別々のフィルタチェーンで構成される例も可能であることが分かるであろう。
【００８３】
ＧＰＳまたはＧＰＳ支援の位置修正では、相関器1118は、ＧＰＳ受信機1112によってそれに与えられた情報から、ＧＰＳの相関関数を求めるように構成されている。ＡＦＬＴまたはＧＰＳ支援の位置修正では、相関器1118は、無線トランシーバ1106によってそれに与えられた情報から、基地局の相関関数を求めるように構成されている。
【００８４】
相関器1118は、到来時間、または相関器が求める相関関数のピークからの到来測定値の時間差、あるいはこの両者を求めるようにも構成されている。その代りに、ＣＰＵ1102は、相関器1118によってそれに与えられた相関関数から、この情報を求めてもよい。
【００８５】
加入者局は、この情報を使用して、無線通信サービスを獲得するか、および／または、ＡＦＬＴを用いた、ＧＰＳを用いた、あるいはＧＰＳ支援のアプローチによって、その位置を判断するか、もしくは位置判断システム内のＰＤＥまたは他のエンティティに位置を判断させる。
【００８６】
チャネル復号器1120は、ベースバンドプロセッサ1108がチャネル復号器1120へ与えたチャネルシンボルを、基礎のソースビットへ復号するように構成されている。チャネルシンボルが畳込み符号化されるシンボルである１つの例では、チャネル復号器はビタビ復号器である。チャネルシンボルが畳込み符号の直列または並列の連接である第２の例では、チャネル復号器1120はターボ復号器である。
【００８７】
メモリ1104は、図２の方法か、あるいは記載または提案されたその実施形態、実行、例、または変形の何れかを具体化するソフトウエア命令を保持するように構成されている。  ＣＰＵ1102は、これらのソフトウエア命令にアクセスし、実行し、それによってネットワークの計画、最適化、確認、または動作アプリケーションに役立つデータを収集するように構成されている。
【００８８】
種々の実施形態、実行、および例を記載したが、当業者には、より多くの実施形態、実行、および例は、本発明の技術的範囲内で可能であることが分かるであろう。したがって、本発明は、特許請求項に関係することを除いて、制限されない。
【符号の説明】
【００８９】
108,502,504,702、904・・・基地局、110・・・中継器、118,500,706、902・・・車両、120,506、908・・・経路、128・・・測定場所、400・・・ＰＤＥ、402・・・メモリ、402,404,406,408・・・基準源、412,710・・・加入者局、510・・・建物、512・・・角、514,704,800、906・・・受信可能領域、516・・・ハンドオフに失敗した領域、700、900・・・セル、708,712，910・・・場所、802・・・ギャップ、909・・・部分、912・・・等高線。
【図１】
2011061805.tif 000003
【図２】
2011061805.tif 000004
【図３】
2011061805.tif 000005
【図４】
2011061805.tif 000006
【図５Ａ】
2011061805.tif 000007
【図５Ｂ】
2011061805.tif 000008
【図５Ｃ】
2011061805.tif 000009
【図６】
2011061805.tif 000010
【図７】
2011061805.tif 000011
【図８】
2011061805.tif 000012
【図９Ａ】
2011061805.tif 000013
【図９Ｂ】
2011061805.tif 000014
【図９Ｃ】
2011061805.tif 000015
【図１０】
2011061805.tif 000016
【図１１】
2011061805.tif 000017
【手続補正書】
【提出日】平成22年11月1日(2010.11.1)
【手続補正１】
【補正対象書類名】特許請求の範囲
【補正対象項目名】全文
【補正方法】変更
【補正の内容】
【特許請求の範囲】
【請求項１】
１つ以上のネットワークアプリケーションに役立つデータを得るための無線通信システムであって、
各々が、（１）ネットワークイベントの発生を検出することに応答して、加入者局の位置推定を得るか、または得てしまっている、（２）位置推定を得るか、または得てしまっていることに応答して、測定された、または得られた、データおよびネットワークイベントの識別子の少なくとも一方と、加入者局の位置推定を関係付けるレコードを形成するか、または形成してしまっている、および（３）レコードを形成するか、または形成してしまっていることに応答して、レコードをデータベースに記憶するか、または記憶してしまっているように構成された１つ以上のネットワークエンティティを含み、
１つ以上のネットワークイベントが、ハンドオフに失敗した状態を含み、データベースから引き出されたハンドオフに失敗した領域のマップを表わすデータと、各領域ごとに、領域を１つ以上の基地局と関係付ける関係付けデータとを保持しているメモリをさらに含む無線通信システム。
【請求項２】
データベースから引き出されたデータにアクセスし、このデータを使用して、ハンドオフに失敗した領域内へロームしたことを検出すると、ハンドオフに失敗した領域と関係付けられた１つ以上の基地局を、ハンドオフを支援するために加入者局に適用可能な１つ以上のリスト上へ強制するか、または強制してしまっているように構成された１つ以上の加入者局を含む請求項１記載のシステム。
【請求項３】
データベースから引き出されたデータにアクセスし、このデータを使用して、ハンドオフに失敗した領域内へロームしたことを検出すると、ハンドオフを支援するために加入者局に適用可能な１つ以上の閾値を調節するか、または調節しまっているように構成された１つ以上の加入者局をさらに含む請求項１記載のシステム。
【請求項４】
データベースから引き出されたデータにアクセスし、このデータを使用して、ハンドオフに失敗した領域内へロームしたことを検出したときに、ハンドオフを支援するために加入者局に適用可能な１つ以上のサーチ時間を調節するか、または調節してしまっているように構成された１つ以上の加入者局をさらに含む請求項１記載のシステム。
【請求項５】
１つ以上のトリガリングイベントが、加入者局が受信可能範囲のギャップ内へ、そこから外へ、またはその中でロームすることを含む請求項１記載のシステム。
【請求項６】
受信可能範囲のギャップのマップを含んでいるデータベースから引き出されるデータを保持しているメモリをさらに含む請求項５記載のシステム。
【請求項７】
データベースから引き出され、１つ以上の勾配マップを表わしているデータを保持しているメモリをさらに含む請求項５記載のシステム。
【請求項８】
１つ以上のネットワークアプリケーションに役立つデータを得る方法であって、
ネットワークイベントの発生を検出することに応答して、加入者局の位置推定を得るステップと、
位置推定を得ることに応答して、測定された、または得られた、データおよびネットワークイベントの識別子の少なくとも一方と、加入者局の位置推定を関係付けるレコードを形成するステップと、
レコードを形成することに応答して、レコードをデータベースに記憶するステップと、
ハンドオフに失敗した領域のマップを含んでいるデータベースからのデータと、１つ以上の基地局を各領域と関係付ける関係付けデータとを引き出すステップとを含み、ネットワークイベントが、ハンドオフに失敗した状態を含む方法。
【請求項９】
１つ以上のネットワークアプリケーションに役立つデータを得るための無線通信装置であって、
ネットワークイベントの発生を検出することに応答して、加入者局の位置推定を得る手段と、
位置推定を得ることに応答して、測定された、または得られた、データおよびネットワークイベントの識別子の少なくとも一方と、加入者局の位置推定を関係付けるレコードを形成する手段と、
レコードを形成することに応答して、レコードをデータベースに記憶する手段と、
ハンドオフに失敗した領域のマップを含んでいるデータベースからのデータと、１つ以上の基地局を各領域と関係付ける関係付けデータとを引き出す手段とを含み、ネットワークイベントが、ハンドオフに失敗した状態を含む装置。
【請求項１０】
コンピュータに以下のステップを実行させるためのプログラムを記憶したコンピュータ可読記憶媒体：
ネットワークイベントの発生を検出することに応答して、加入者局の位置推定を得るステップと、
位置推定を得ることに応答して、測定された、または得られた、データおよびネットワークイベントの識別子の少なくとも一方と、加入者局の位置推定を関係付けるレコードを形成するステップと、
レコードを形成することに応答して、レコードをデータベースに記憶するステップと、
ハンドオフに失敗した領域のマップを含んでいるデータベースからのデータと、１つ以上の基地局を各領域と関係付ける関係付けデータとを引き出すステップ、
ここにおいて、ネットワークイベントが、ハンドオフに失敗した状態を含む、記憶媒体。
【請求項１１】
１つ以上の無線ネットワークアプリケーションに役立つデータを得る方法であって、方法が、次のステップ、すなわち、
タイマが切れたこと、ユーザが９１１呼を開始すること、ウエブがイネーブルされた加入者局における位置に依存するサービスに対する要求のいずれか１つを検出するステップと、
タイマが切れたこと、ユーザが９１１呼を開始すること、ウエブがイネーブルされた加入者局における位置に依存するサービスに対する要求のいずれか１つを検出することに応答して、無線通信システム内で動作している加入者局の位置推定を得るステップと、
位置推定を得ることに応答して、測定された、または得られた、データおよびイベント識別子の少なくとも一方と、加入者局の位置推定を関係付けるレコードを形成するステップと、
レコードを形成することに応答して、レコードを記憶または送信するステップとを行うことを含み、
レコードが、位置推定を、パイロット強度および位相の１つ以上の測定値と関係付け、パイロットの少なくとも１つが、加入者局と基地局との間に存在しているトラヒックチャネルと関係付けられ、トラヒックチャネルが、順方向トラヒックチャネルおよび逆方向トラヒックチャネルの少なくとも一方である方法。
【請求項１２】
１つ以上の無線ネットワークアプリケーションに役立つデータを得るための無線通信システムであって、
各ネットワークエンティティが、（１）タイマが切れたこと、ユーザが９１１呼を開始すること、ウエブがイネーブルされた加入者局における位置に依存するサービスに対する要求のいずれか１つを検出し、（２）タイマが切れたこと、ユーザが９１１呼を開始すること、ウエブがイネーブルされた加入者局における位置に依存するサービスに対する要求のいずれか１つを検出することに応答して、無線通信システム内で動作している加入者局の位置推定を得、（３）位置推定を得ることに応答して、測定された、または得られた、データおよびイベント識別子の少なくとも一方と、加入者局の位置推定を関係付けるレコードを形成し、（４）レコードを形成することに応答して、レコードを記憶または送信するように構成された１つ以上のネットワークエンティティを含み、
レコードが、位置推定を、パイロット強度および位相の１つ以上の測定値と関係付け、パイロットの少なくとも１つが、加入者局と基地局との間に存在しているトラヒックチャネルと関係付けられ、トラヒックチャネルが、順方向トラヒックチャネルおよび逆方向トラヒックチャネルの少なくとも一方である、無線通信システム。
【請求項１３】
１つ以上の無線ネットワークアプリケーションに役立つデータを得るための装置であって、
タイマが切れたこと、ユーザが９１１呼を開始すること、ウエブがイネーブルされた加入者局における位置に依存するサービスに対する要求のいずれか１つを検出する手段と、
タイマが切れたこと、ユーザが９１１呼を開始すること、ウエブがイネーブルされた加入者局における位置に依存するサービスに対する要求のいずれか１つを検出することに応答して、無線通信システム内で動作している加入者局の位置推定を得る手段と、
位置推定を得ることに応答して、測定された、または得られた、データおよびイベント識別子の少なくとも一方と、加入者局の位置推定を関係付けるレコードを形成する手段と、
レコードを形成することに応答して、レコードを記憶または送信する手段とを含み、
レコードが、位置推定を、パイロット強度および位相の１つ以上の測定値と関係付け、パイロットの少なくとも１つが、加入者局と基地局との間に存在しているトラヒックチャネルと関係付けられ、トラヒックチャネルが、順方向トラヒックチャネルおよび逆方向トラヒックチャネルの少なくとも一方である装置。
【請求項１４】
コンピュータに以下のステップを実行させるためのプログラムを記憶したコンピュータ可読記憶媒体：
タイマが切れたこと、ユーザが９１１呼を開始すること、ウエブがイネーブルされた加入者局における位置に依存するサービスに対する要求のいずれか１つを検出するステップと、
タイマが切れたこと、ユーザが９１１呼を開始すること、ウエブがイネーブルされた加入者局における位置に依存するサービスに対する要求のいずれか１つを検出することに応答して、無線通信システム内で動作している加入者局の位置推定を得るステップと、
位置推定を得ることに応答して、測定された、または得られた、データおよびイベント識別子の少なくとも一方と、加入者局の位置推定を関係付けるレコードを形成するステップと、
レコードを形成することに応答して、レコードを記憶または送信するステップ、
ここにおいて、レコードが、位置推定を、パイロット強度および位相の１つ以上の測定値と関係付け、パイロットの少なくとも１つが、加入者局と基地局との間に存在しているトラヒックチャネルと関係付けられ、トラヒックチャネルが、順方向トラヒックチャネルおよび逆方向トラヒックチャネルの少なくとも一方である、記憶媒体。
【請求項１５】
１つ以上の無線ネットワークアプリケーションに役立つデータを得る方法であって、方法が、次のステップ、すなわち、
トリガリングイベントの発生を検出するステップと、
トリガリングイベントの発生を検出することに応答して、無線通信システム内で動作している加入者局の位置推定を得るステップと、
タイマが切れたことを検出するステップと、
タイマが切れたことを検出することに応答して、無線通信システム内で動作している加入者局の位置推定を得るステップと、
位置推定を得ることに応答して、測定された、または得られた、パイロット強度または位相の１つ以上の測定値を表している、データおよびイベント識別子の少なくとも一方と、加入者局の位置推定を関係付けるレコードを形成するステップと、
レコードを形成することに応答して、レコードを記憶または送信するステップとを行うことを含む方法。
【請求項１６】
パイロットの少なくとも１つが、加入者局と基地局との間に存在しているトラヒックチャネルと関係付けられている請求項１５記載の方法。
【請求項１７】
トラヒックチャネルが、順方向トラヒックチャネルである請求項１６記載の方法。
【請求項１８】
トラヒックチャネルが、逆方向トラヒックチャネルである請求項１６記載の方法。
【請求項１９】
１つ以上の無線ネットワークアプリケーションに役立つデータを得るための無線通信システムであって、
各ネットワークエンティティが、（１）トリガリングイベントの発生を検出し、（２）トリガリングイベントの発生を検出することに応答して、無線通信システム内で動作している加入者局の位置推定を得、（３）タイマが切れたことを検出し、（４）タイマが切れたことを検出することに応答して、無線通信システム内で動作している加入者局の位置推定を得、（５）位置推定を得ることに応答して、測定された、または得られた、パイロット強度または位相の１つ以上の測定値を表している、データおよびイベント識別子の少なくとも一方と、加入者局の位置推定を関係付けるレコードを形成し、（６）レコードを形成することに応答して、レコードを記憶または送信するように構成された１つ以上のネットワークエンティティを含む、無線通信システム。
【請求項２０】
１つ以上の無線ネットワークアプリケーションに役立つデータを得るための装置であって、
トリガリングイベントの発生を検出する手段と、
トリガリングイベントの発生を検出することに応答して、無線通信システム内で動作している加入者局の位置推定を得る手段と、
タイマが切れたことを検出する手段と、
タイマが切れたことを検出することに応答して、無線通信システム内で動作している加入者局の位置推定を得る手段と、
位置推定を得ることに応答して、測定された、または得られた、パイロット強度または位相の１つ以上の測定値を表している、データおよびイベント識別子の少なくとも一方と、加入者局の位置推定を関係付けるレコードを形成する手段と、
レコードを形成することに応答して、レコードを記憶または送信する手段とを含む装置。
【請求項２１】
コンピュータに以下のステップを実行させるためのプログラムを記憶したコンピュータ可読記憶媒体：
トリガリングイベントの発生を検出するステップと、
トリガリングイベントの発生を検出することに応答して、無線通信システム内で動作している加入者局の位置推定を得るステップと、
タイマが切れたことを検出するステップと、
タイマが切れたことを検出することに応答して、無線通信システム内で動作している加入者局の位置推定を得るステップと、
位置推定を得ることに応答して、測定された、または得られた、パイロット強度または位相の１つ以上の測定値を表している、データおよびイベント識別子の少なくとも一方と、加入者局の位置推定を関係付けるレコードを形成するステップと、
レコードを形成することに応答して、レコードを記憶または送信するステップ。
【手続補正２】
【補正対象書類名】明細書
【補正対象項目名】０００７
【補正方法】変更
【補正の内容】
【０００７】
１つ以上のネットワークアプリケーションに役立つデータを得る方法を記載する。方法は、イベントの発生によってトリガされる。方法は、加入者局の位置推定を得ることを含む。次に、位置推定と、トリガリングイベントの識別子、あるいはトリガリングイベントに応答して、測定された、または得られたデータとを関係付けるレコードが形成される。次に、レコードは、記憶されるか、または伝送される。１つの実施形態では、方法は、１つ以上の加入者局の各々によって、全体的に、または部分的に行われる。別の実施形態では、方法は、基地局または位置判断エンティティのような、１つ以上の他のネットワークエンティティの各々によって、全体的に、または部分的に行われる。第３の実施形態では、方法は、１つ以上の加入者局と１つ以上の他のネットワークエンティティとの組合せの各々によって行われる。１つの構成では、トリガリングイベントの発生時に、加入者局の位置修正が開始され、レコードは、この修正から得られる位置推定から形成される。その代りに、レコードは、依然として正確であると考えられている、以前に得られた加入者局の位置推定から形成されてもよい。１つの実行では、レコードは局所的に記憶される。その代りに、レコードを、遠隔位置へ伝送してもよい。１つの実行例では、レコードは、遠隔位置に伝送され、ネットワークによってサービスされる他の加入者局に関係する同様のデータから形成されるレコードを保持するデータベース内に記憶される。したがって、このデータベース内のデータは、ネットワークの計画、最適化、確認、または動作のために使用されることもある。
【手続補正３】
【補正対象書類名】明細書
【補正対象項目名】００２４
【補正方法】変更
【補正の内容】
【００２４】
ステップ206の後には、ステップ208が続く。ステップ208では、レコードが記憶または伝送される。１つの実施形態では、レコードは、加入者局において形成され、局所的に記憶される。別の実施形態では、レコードは、加入者局において形成され、遠隔位置へ伝送される。１つの実行では、レコードは、加入者局において形成され、別のネットワークエンティティへ伝送され、他の加入者局に関係する同様のデータを取入れているレコードを保持しているデータベースに記憶される。別の実行では、レコードは、ネットワークエンティティにおいて形成され、データベースに記憶される。
【外国語明細書】
2011061805000001.pdf